(57)【特許請求の範囲】
【請求項１】
移動および/または定置送受信装置間で無線遠隔通信を行う無線遠隔通信システムに対する無線インタフェースであって、
（ａ）無線インタフェース（ＰＧＭ）の第１物理層（Ｓ１）が、遠隔通信システムのタイムフレーム構造（ＺＲ、ＭＺＲ）の少なくとも１つのタイムスロット（ＺＳ）に、第１層（Ｓ１）に対して割り当てられた各遠隔通信接続のために少なくとも１つの第１の物理的チャネル（ＤＰＣＣＨ）と少なくとも１つの第２の物理的チャネル（ＤＰＤＣＨ）とを有し、
（ｂ）第１のチャネル（ＤＰＣＣＨ）には、チャネル推定データ（ＮＰＩＬＯＴ）を備える、チャネル推定のための第１データフィールド（ＰＳ）と、出力制御データ（ＮＴＰＣ）を備える、出力制御のための第２データフィールド（ＴＰＣＳ）と、伝送形式情報データ（ＮＴＦＣＩ）を備える、伝送形式情報のための第３データフィールド（ＴＦＣＩＳ）とが含まれており、
（ｃ）第２のチャネル（ＤＰＤＣＨ）には、有効データ（ＮＤＡＴＡ、ＮＤＡＴＡ１、ＮＤＡＴＡ２）を備える有効データフィールド（ＮＤＳ）が含まれている形式の無線インタエースにおいて、
（ｄ）無線インタフェース（ＰＧＭ）の、データ保安を行う第２層（Ｓ２）および/または交換を行う第３層（Ｓ３）はそれぞれ制御手段（ＳＴＭ）を含み、
該制御手段は次のように構成され、次のように物理チャネル（ＤＰＣＣＨ、ＤＰＤＣＨ）に操作介入する、すなわち、
データフィールド（ＰＳ、ＴＰＣＳ、ＴＦＣＩＳ）中のデータ（ＮＰＩＬＯＴ、ＮＴＰＣ、ＮＴＦＣＩ）の分配が、遠隔通信の上り方向および/または下り方向での遠隔通信接続中に適応的に変更可能であるように構成され、物理チャネルに操作介入する、
ことを特徴とする無線インタフェース。
【請求項２】
前記制御手段（ＳＴＭ）は次のように構成され、次のように物理チャネル（ＤＰＣＣＨ、ＤＰＤＣＨ）に操作介入する、すなわち、
データ（ＮＰＩＬＯＴ、ＮＴＰＣ、ＮＴＦＣＩ）分配の適応的変更が、有効データフィールド（ＮＤＳ）中のデータ量が同じであり、タイムスロット（ＺＳ）当たりの全体データ量が同じであるときに行われるよう構成され、物理チャネルに操作介入する、請求項１記載の無線インタフェース。
【請求項３】
前記制御手段（ＳＴＭ）は次のように構成され、次のように物理チャネル（ＤＰＣＣＨ、ＤＰＤＣＨ）に操作介入する、すなわち、
データ（ＮＰＩＬＯＴ、ＮＴＰＣ、ＮＴＦＣＩ）分配の適応的変更が、通信接続特性への適応によって行われるように構成され、物理チャネルに操作介入する、請求項２記載の無線インタフェース。
【請求項４】
前記制御手段（ＳＴＭ）は次のように構成され、次のように物理チャネル（ＤＰＣＣＨ、ＤＰＤＣＨ）に操作介入する、すなわち、
データ（ＮＰＩＬＯＴ、ＮＴＰＣ、ＮＴＦＣＩ）分配の適応的変更が、タイムスロット（ＺＳ）当たりの全体データ量の上昇によって行われるように構成され、物理チャネルに操作介入する、請求項１記載の無線インタフェース。
【請求項５】
前記制御手段（ＳＴＭ）は次のように構成され、次のように物理チャネル（ＤＰＣＣＨ、ＤＰＤＣＨ）に操作介入する、すなわち、
データ（ＮＰＩＬＯＴ、ＮＴＰＣ、ＮＴＦＣＩ）分配の適応的変更が、タイムスロット（ＺＳ）当たりの全体データ量が同じであるときに、データフィールド（ＰＳ、ＴＰＣＳ、ＴＦＣＩＳ）中のデータ（ＮＰＩＬＯＴ、ＮＴＰＣ、ＮＴＦＣＩ）を第２のチャネル（ＤＰＤＣＨ）に割り当てるか、または有効データフィールド（ＮＤＳ）中のデータ（ＮＤＡＴＡ、ＮＤＡＴＡ１、ＮＤＡＴＡ２）を第１のチャネル（ＤＰＣＣＨ）に割り当てることによって行われるように構成され、物理チャネルに操作介入する、請求項１記載の無線インタフェース。
【請求項６】
制御手段（ＳＴＭ）は次のように構成され、物理チャネル（ＤＰＣＣＨ、ＤＰＤＣＨ）に操作介入する、すなわち、
遠隔通信接続の第１の特性として、移動送受信装置（ＭＳ１...ＭＳ５）が実質的に５km/hより小さな速度で移動する場合、第１のデータフィールド（ＰＳ）におけるデータ（ＮＰＩＬＯＴ）の数が、第２のデータフィールド（ＴＰＣＳ）および/または第３のデータフィールド（ＴＦＣＩＳ）におけるデータ（ＮTPC、ＮTFCI）の数に有利なような低減されるよう構成され、物理チャネルに操作介入する、請求項３記載の無線インタフェース。
【請求項７】
制御手段（ＳＴＭ）は次のように構成され、物理チャネル（ＤＰＣＣＨ、ＤＰＤＣＨ）に操作介入する、すなわち、
遠隔通信接続の第２の特性として、移動送受信装置（ＭＳ１...ＭＳ５）が実質的に１００km/hより大きな速度で移動する場合、第２のデータフィールド（ＴＰＣＳ）中のデータ（ＮＴＰＣ）の数が、第１のデータフィールド（ＰＳ）および/または第３のデータフィールド（ＴＦＣＩＳ）におけるデータ（ＮＰＩＬＯＴ、ＮＴＦＣＩ）の数に有利なように低減されるよう構成され、物理チャネルに操作介入する、請求項３または６記載の無線インタフェース。
【請求項８】
タイムスロット（ＺＳ）当たりの全体データ量は、符号分割多重に基づく遠隔通信システムの場合、拡散係数の低減によって拡大可能である、請求項４記載の無線インタフェース。
【請求項９】
遠隔通信システムは、ＦＤＤモードおよび/またはＴＤＤモードでドライブ可能である、請求項１または８項記載の無線インタフェース。
【請求項１０】
遠隔無線システムは広帯域モードでドライブ可能である、請求項８または９記載の無線インタフェース。
【請求項１１】
制御手段（ＳＴＭ）は次のように構成され、次のように物理チャネル（ＤＰＣＣＨ、ＤＰＤＣＨ）に操作介入する、すなわち、
データ（ＮＰＩＬＯＴ、ＮＴＰＣ、ＮＴＦＣＩ）分配の変更が、タイムスロット（ＺＳ）当たりの全体データ量を増大することにより行われるように構成され、物理チャネルに操作介入する、請求項８または９項記載の無線インタフェース。
【請求項１２】
制御手段（ＳＴＭ）は次のように構成され、次のように物理チャネル（ＤＰＣＣＨ、ＤＰＤＣＨ）に操作介入する、すなわち、
データ（ＮＰＩＬＯＴ、ＮＴＰＣ、ＮＴＦＣＩ）分配の変更が、タイムスロット（ＺＳ）当たりの全体データ量が同じであるときに、データフィールド（ＰＳ、ＴＰＣＳ、ＴＦＣＩＳ）中のデータ（ＮＰＩＬＯＴ、ＮＴＰＣ、ＮＴＦＣＩ）を第２のチャネル（ＤＰＤＣＨ）に割り当てるか、または有効データフィールド（ＮＤＳ）中のデータ（ＮＤＡＴＡ、ＮＤＡＴＡ１、ＮＤＡＴＡ２）を第１のチャネル（ＤＰＣＣＨ）に割り当てることによって行われるように構成され、物理チャネルに操作介入する、請求項２，３，６または７のいずれか１項記載の無線インタフェース。
【発明の詳細な説明】
【０００１】
移動および／または定置送受信装置間で無線遠隔通信を行う遠隔通信システムは、通信ソースと通信シンクとの間に通信伝送区間を有する特別な通信システムであり、例えば基地局と移動部が通信処理および通信伝送のために送受信装置として使用される。このような通信システムでは、
１）通信処理と通信伝送とを有利な１つの伝送方向（シンプレックス動作）または両方の伝送方向（デュプレックス動作）で行うことができ、
２）通信処理は有利にはデジタルであり、
３）遠隔伝送区間を介した通信伝送が無線で、通信伝送区間を多重利用するためＦＤＭＡ（Frequency Division Multiple Access）、ＴＤＭＡ（Time Division Multiple Access）および／またはＣＤＭＡ（Code Division Multiple Access）などの離散的通信伝送方法に基づいて、例えば次の無線規格にしたがって行われる。
【０００２】
【外１】
0003809068.tif 000002
【０００３】
【外２】
0003809068.tif 000003
【０００４】
「通信」とは、意味内容（情報）と物理的表現（信号）との両方に対する上位概念である。通信の意味内容が同じであっても、すなわち情報が同じであっても、異なる信号形状の発生することがある。例えば対象に該当する通信は、
（１）画像の形態で、
（２）発声された語として、
（３）記述された語として、
（４）符号化された語または画像として
伝送することができる。
【０００５】
（１）から（３）による伝送形式はここで通常は、連続的（アナログ）信号により特徴付けられ、また（４）による伝送形式では通常は離散的信号（例えばパルス、デジタル信号）が発生する。
【０００６】
図の１から７は以下のものを示す：
図１は、「ダウンリンク」でのＷＣＤＭＡ／ＦＤＤ無線インタフェースの「３層構造」である。
【０００７】
図２は、「アップリンク」でのＷＣＤＭＡ／ＦＤＤ無線インタフェースの「３層構造」である。
【０００８】
図３は、ＴＤＣＤＭＡ／ＴＤＤ無線インタフェースの「３層構造」である。
【０００９】
図４は、周波数多重、時分割多重、符号分割多重によるチャネル多重使用の無線シナリオである。
【００１０】
図５は、送受信機として構成された基地局の基本構造である。
【００１１】
図６は、同様に送受信機として構成された移動局の基本構造である。
【００１２】
ＵＭＴＳシナリオ（第３世代移動無線、ないしＩＭＴ−２０００）には、例えば刊行物 Funkschau 6/98: R.Sietmann "Ringen um UMTS-Schnittstelle", pp.76-81 による２つの部分シナリオがある。第１の部分シナリオでは、ライセンスされ編成された移動無線がＷＣＤＭＡ技術（Wideband Code Division Multiple Access）に基づき、ＧＳＭの場合のようにＦＤＤモード（Frequency Division Duplex）でドライブされる。一方、第２のシナリオでは、未ライセンス非編成の移動無線がＴＤ−ＣＤＭＡ技術（Time Division-Code Division Multiple Access）に基づき、ＤＥＣＴの場合のようにＴＤＤモード（Time Division Duplex）でドライブされる。
【００１３】
汎用的移動遠隔通信システムのＷＣＤＭＡ／ＦＤＤモードでは、遠隔通信システムの無線インタフェースが、刊行物 ETSI STC SMG2 UMTS-L1, Tdoc SMG2 UMTS-L1 163/98:"UTRA Physical Layer Description FDD Parts" Vers. 0.3, 1998-05-29 により、遠隔通信の上り方向と下り方向でそれぞれ複数の物理チャネルを有する。これらのうち第１の物理チャネルはいわゆる Dedicated Physical Control CHannel ＤＰＣＣＨであり、第２の物理チャネルはいわゆる Dedicated Physical Data CHannel ＤＰＤＣＨである。これらは「３層構造」を基準にして、７２０ｍｓ長（ＴMZR＝７２０ｍｓ）のマルチタイムフレーム（スーパーフレーム）ＭＺＲ、１０ｍｓ長のタイムフレーム（ラジオフレーム）ＺＲおよび０．６２５ｍｓ長（ＴFZR＝０．６２５ｍｓ）のタイムスロットＺＳからなり、図１と図２に示されている。それぞれのマルチタイムフレームＭＺＲが例えば７２のタイムフレームＺＲを有し、各タイムフレームＺＲはさらに例えば１６のタイムスロットＺＳ１...ＺＳ１６を有する。個々のタイムスロットＺＳ、ＺＳ１...ＺＳ１６（バースト）は第１の物理チャネルＤＰＣＣＨについてはバースト構造として、パイロットシーケンスＰＳ、ＴＰＳシーケンスＴＰＣＳ、ＴＦＣＩシーケンスＴＦＣＩＳを有する。パイロットシーケンスＰＳはチャネル推定のためにＮＰＩＬＯＴのビット数（ＮＰＩＬＯＴビット）を有し、ＴＰＣシーケンスＴＰＣＳはとりわけ高速の出力制御（トラフィックパワーコントロール）のためにＮＴＰＣのビット数（ＮＴＰＣビット）を有し、ＴＦＣＩシーケンスＴＦＣＩＳは伝送形式情報（トラフィックフォーマットチャネルインジケーション）のためにＮＴＦＣＩのビット（ＮＴＦＣＩビット）を有する。これらのビットはビット速度、サービス形式、エラー保護符号化形式等を指示する。さらに第２の物理チャネルＤＰＤＣＨについては、ＮＤＡＴＡの有効データビット（ＮＤＡＴＡビット）を有する。以下の表は、ＡＲＩＢ出版のＡＲＩＢによる"Specification of Air-Interface for 3G Mobile System", Vol.3 June 1998 の表３．２．２−４に規定された、ＤＰＤＣＨチャネルおよびＤＰＣＣＨチャネルに対するビット値であり、ＮＰＩＬＯＴ、ＮＴＰＣ、ＮＴＦＣＩにビット分割され、チャネルビット速度は６４ないし１２８ｋビット／ｓである。
【００１４】
【表１】
0003809068.tif 000004
【００１５】
ＥＴＳＩないしＡＲＩＢのＷＣＤＭＡ／ＦＤＤシステムの「ダウンリンク」（遠隔通信の下り方向；基地局から移動局への無線接続）−図１−では、第１の物理チャネル［Dedicated Physical Control Channel（ＤＰＣＣＨ）］と第２の物理チャネル［Dedicated Physical Data Channel（ＤＰＤＣＨ）］とが時分割多重化されている。一方、「アップリング」（遠隔通信の上り方向；移動局から基地局への無線接続）−図２−では、Ｉ／Ｑ多重化が行われる。このＩ／Ｑ多重化では、第２の物理チャネルＤＰＤＣＨがＩ−チャネルで、第１の物理チャネルＤＰＣＣＨがＱ−チャネルで伝送される。
【００１６】
汎用移動遠隔通信システムのＴＤＣＤＭＡ／ＴＤＤモードに対して遠隔通信システムの無線インタフェースは、遠隔通信の上り方向と下り方向で、刊行物 TSG RAN WG1 (S1.21):"3rd Generation Partnership Project(3GPP)" Vers.0.0.1, 1999-01 による「３層構造」に基づく。これはマルチタイムフレームＭＺＲ、タイムフレームＺＲおよびタイムスロットＺＳからなり、物理チャネル全体が図３に示されている。それぞれのマルチタイムフレームＭＺＲはここでも例えば７２のタイムフレームＺＲを含み、各タイムフレームＺＲはここでも例えば１６のタイムスロットＺＳ１...ＺＳ１６を有する。個々のタイムスロットＺＳ、ＺＳ１...ＺＳ１６（バースト）は、ＡＲＩＢ提案による第１のタイムスロット構造（バースト構造）ＺＳＳ１、またはＥＴＳＩ提案による第２のタイムスロット構造（バースト構造）ＺＳＳ２を有する。第１のタイムスロット構造ＺＳＳ１は順番に、ＮＤＡＴＡ１ビットの第１有効データシーケンス、チャネル推定のためＮＰＩＬＯＴビットを有するパイロットシーケンスＰＳ、電力制御のためＮＴＰＣビットを有するTPCシーケンスＴＰＣＳ、伝送形式情報のためＮＴＦＣＩビットを有するＴＦＣＩシーケンスＴＦＣＩＳ、ＮＤＡＴＡ２ビットの第２有効データシーケンス、そしてＮＧＵＡＲＤビットの保護タイムゾーン（保護期間）からなる。第２のタイムスロット構造ＺＳＳ２は順番に、第１有効データシーケンスＮＤＳ１、第１ＴＦＣＩシーケンスＴＦＣＩＳ１、チャネル推定のためのミッドアンブルシーケンスＭＩＳ、第２ＴＦＣＩシーケンスＴＦＣＩＳ２、第２有効データシーケンスＮＤＳ２、そして保護タイムゾーンＳＺＺを有する。
【００１７】
図４は、例えば２つの無線セルと、その中に配置された基地局（Base Transceiver Station）を有するＧＳＭ無線シナリオの基本を示す。ここで第１の基地局ＢＴＳ１（送受信機）は第１の無線セルＦＺ１を、第２の基地局ＢＴＳ２（送受信機）は第２の無線セルＦＺ２を全方向で照射する。そして図１および図２に基づいて、周波数多重／時分割多重／符号分割多重によるチャネル多重使用の通信シナリオでは、基地局ＢＴＳ１，ＢＴＳ２が、この無線シナリオのために敷設された無線インタフェースを介し、無線セルＦＺ１，ＦＺ２に存在する複数の移動局ＭＳ１...ＭＳ５（送受信装置）と、無線単方向または双方向−上り方向ＵＬ（アップリンク）および／または下り方向ＤＬ（ダウンリンク）−の遠隔通信により相応の伝送チャネルＴＲＣ上で接続される。基地局ＢＴＳ１，ＢＴＳ２は公知のように（ＧＳＭ遠隔通信システム、参照）基地局制御部ＢＳＣ（Base Station Controller）と接続されており、この基地局制御部は基地局制御の枠内で周波数管理および交換機能を行う。基地局制御部ＢＳＣは移動交換局ＭＳＣ（Mobile Switching Center）を介して上位の遠隔通信ネット、例えばＰＳＴＮ（Public Switched Telecommunication Network）と接続されている。移動交換局ＭＳＣは図示の遠隔通信システムに対する管理局である。移動交換局は組み込まれたレジスタ（図示せず）を有し、コール管理全体、遠隔通信加入者の認証、並びにネットワーク内での位置監視を行う。
【００１８】
図５は、送受信機として構成された基地局ＢＴＳ１，ＢＴＳ２の基本構造を示す。また図６は、同様に送受信機として構成された移動局ＭＳ１...ＭＳ５の基本構造を示す。基地局ＢＴＳ１，ＢＴＳ２は移動局ＭＳ１...ＭＳ５からの、また移動局への無線通信の送信および受信を行い、一方、移動局ＭＳ１...ＭＳ５は基地局ＢＴＳ１，ＢＴＳ２からの、また基地局への無線通信の送信および受信を行う。このために基地局は送信アンテナＳＡＮと受信アンテナＥＡＮを有し、移動局ＭＳ１...ＭＳ５はアンテナ切換部ＡＵにより制御可能な、送受信共通のアンテナＡＮＴを有する。上り方向（受信経路）で基地局ＢＴＳ１，ＢＴＳ２は受信アンテナＥＡＮを介して例えば少なくとも１つの無線通信ＦＮを少なくとも１つの移動局ＭＳ１...ＭＳ５から受信する。この無線通信ＦＮは周波数成分、時間成分および符号成分を有する。一方、移動局ＭＳ１...ＭＳ５は下り方向（受信経路）で共通のアンテナＡＮＴを介して例えば少なくとも１つの無線通信ＦＮを少なくとも１つの基地局ＢＴＳ１，ＢＴＳ２から受信する。この無線通信も周波数成分、時間成分および符号成分を有する。ここでこの無線通信ＦＮは広帯域に拡散された搬送波信号からなり、この信号はデータシンボルから統合され、重畳変調された情報を備える。
【００１９】
無線受信装置ＦＥＥ（受信機）では、受信された搬送波信号がろ波され、中間周波数に逓低混合され、さらに走査され量子化される。Ａ／Ｄ変換の後、無線経路でマルチパス伝播により歪まされた信号はイコライザＥＱＬに供給される。イコライザは歪みの大部分を補償する（キーワード：同期）。
【００２０】
続いてチャネル推定器ＫＳで、無線通信ＦＮが伝送された伝送チャネルＴＲＣの伝送特性を推定する。ここでチャネルの伝送特性は時間領域で、チャネルパルス応答により指示される。チャネルパルス応答を推定することができるようにするため、無線通信ＦＮには送信側で（この場合は移動局ＭＳ１...ＭＳ５ないし基地局ＢＳ１，ＢＳ２により）、トレーニング情報シーケンスとして構成された特別の付加情報がいわゆるミッドアンブルの形態で割り当て、ないし配属される。
【００２１】
これに続き、受信された全ての信号に対して共通のデータ検知器ＤＤで、共通の信号に含まれる個々の移動局固有の信号成分が公知のように歪み除去され、分離される。歪み除去および分離の後、シンボル／データ変換器ＳＤＷで、これまで存在したデータシンボルを２進データに変換する。その後、復調器ＤＭＯＤで中間周波数から元のビット流が復元され、その後、デマルチプレクサＤＭＵＸで個々のタイムスロットが正しい論理チャネルに、ひいては種々異なる移動局に割り当てられる。
【００２２】
チャネルコーデックＫＣでは、得られたビットシーケンスがチャネル毎にデコードされる。チャネルに応じてビット情報が、制御およびシグナリングタイムスロットまたは音声タイムスロットに割り当てられる。そして基地局（図５）の場合は、制御およびシグナリングデータと音声データとが基地局制御部ＢＳＣへの伝送のために共通に、シグナリングおよび音声コーディング／デコーディング（音声コーデック）を行うインタフェースＳＳに転送される。一方移動局（図６）の場合は、制御およびシグナリングデータは、シグナリング全体と移動局の制御を行う、有利にはマイクロプロセッサμＰとして構成された制御およびシグナリングユニットＳＴＳＥに転送され、音声データは音声入出力のために構成された音声コーデックＳＰＣに転送される。マイクロプロセッサμＰは、ＯＳＩ／ＩＳＯ層モデル（Unterrichitsblaetter - Deutsche Telekom, Jahrgang 48,2/1995,pp.102-111 参照）に基づき構成されたプログラムモジュールＰＧＭを有する。このプルグラムモジュールには、ＵＭＴＳシナリオのための無線インタフェースプロトコルが組み込まれる。層モデルで定義された層のうち、移動局に対して重要な最初の４層、すなわち第１層Ｓ１，第２層Ｓ２，第３層Ｓ３，および第４層Ｓ４だけが示されており、ここで第１層Ｓ１にはＤＰＣＣＨチャネルおよびＤＰＤＣＨチャネルが含まれている。
【００２３】
基地局ＢＴＳ１，ＢＴＳ２にあるインタフェースＳＳの音声コーデックでは、音声データが所定のデータ流（例えばネット方向へ６４ｋビット／ｓ流、ないしネット方向から１３ｋビット／ｓ流）に変換される。
【００２４】
有利にはマイクロプロセッサμＰとして構成された制御ユニットＳＴＥでは、基地局ＢＴＳ１，ＢＴＳ２の完全な制御が実行される。マイクロプロセッサμＰはここでも、ＯＳＩ／ＩＳＯ層モデル（Unterrichitsblaetter - Deutsche Telekom, Jahrgang 48,2/1995,pp.102-111 参照）に基づき構成されたプロトコルモジュールＰＧＭを含み、このプルグラムモジュールには、ＵＭＴＳシナリオのための無線インタフェースプロトコルが組み込まれる。層モデルで定義された層のうち、基地局に対して重要な最初の４層、すなわち第１層Ｓ１，第２層Ｓ２，第３層Ｓ３，および第４層Ｓ４だけが示されており、ここで第１層Ｓ１にはＤＰＣＣＨチャネルおよびＤＰＤＣＨチャネルが含まれている。
【００２５】
下り方向（送信経路）で基地局ＢＴＳ１，ＢＴＳ２は送信アンテナＳＡＮを介し、例えば周波数成分／時間成分／符号成分を備えた少なくとも１つ無線通信ＦＮを少なくとも１つの移動局ＭＳ１...ＭＳ５に送信する。また移動局ＭＳ１...ＭＳ５は上り方向（送信経路）で共通のアンテナＡＮＴを介し、例えば周波数成分／時間成分／符号成分を備えた少なくとも１つ無線通信ＦＮを少なくとも１つの基地局ＢＴＳ１，ＢＴＳ２に送信する。
【００２６】
送信経路は図５の基地局ＢＴＳ１，ＢＴＳ２では、基地局制御部ＢＳＣのチャネルコーデックＫＣで、インタフェースＳＳを介して得られた制御およびシグナリングデータ並びに音声データが制御およびシグナリングタイムスロットまたは音声タイムスロットに割り当てられ、これらがチャネル毎にビットシーケンスにコーディングされることにより開始する。
【００２７】
送信経路は図６の移動局ＭＳ１...ＭＳ５では、チャネルコーデックＫＣで音声コーデックＳＰＣから得られた音声データ、および制御およびシグナリングユニットＳＴＳＥから得られた制御およびシグナリングデータが制御およびシグナリングタイムスロットまたは音声タイムスロットに割り当てられ、これらがチャネル毎にビットシーケンスにコーディングされることにより開始する。
【００２８】
基地局ＢＴＳ１，ＢＴＳ２と移動局ＭＳ１...ＭＳ５で得られたビットシーケンスはそれぞれデータ／シンボル変換器ＤＳＷでデータシンボルに変換される。これに続いて、それぞれデータシンボルが拡散装置ＳＰＥでそれぞれの加入者固有のコードにより拡散される。バースト合成器ＢＺＳとマルチプレクサＭＵＸからなるバースト発生器ＢＧでは、その後、バースト合成器ＢＺＳでそれぞれ拡散されたデータシンボルにトレーニング情報シーケンスがミッドアンブルの形態でチャネル推定のために付加され、マルチプレクサＭＵＸでこのようにして得られたバースト情報がそれぞれ正しいタイムスロットにセットされる。続いて、得られたバーストがそれぞれ変調器ＭＯＤで逓昇変調され、さらにデジタル／アナログ変換される。それから、このようにして得られた信号が無線通信ＦＮとして、無線端末装置ＦＳＥ（送信機）を介して送信アンテナＳＡＮないし共通のアンテナＡＮＴで照射される。
【００２９】
ＴＤＤ遠隔通信システム（Time Division Duplex）は、複数のタイムスロットからなる伝送タイムフレームが下り伝送方向（ダウンリンク）と上り伝送方向（アップリンク）とで、有利には中央で分割される遠隔通信システムである。
【００３０】
この種の伝送タイムフレームを有するＴＤＤ遠隔通信システムは、例えばＤＥＣＴシステム[Digital Enhanced （以前の：European） Cordless Telecommunication ;vgl. Nachrichtentechnik Elektrobik 42 (1992) Jan./Feb. Nr.1, Berlin, DE; U. Pilger "Struktur des DECT-Standards", pp.23-29, ETSI-Publikation des ETS 300175-1...9, Oktober 1992 & DECT-Publikation des DECT-Forum, Feb. 1997, pp.1-16]として公知である。ＤＥＣＴシステムは、持続時間１０ｍｓのＤＥＣＴ伝送タイムフレームを有し、このタイムフレームは１２の「ダウンリンク」タイムスロットと１２の「アップリンク」タイムスロットからなる。下り伝送方向ＤＬ（ダウンリンク）と上り伝送方向ＵＬ（アップリンク）での所定の周波数における任意の双方向遠隔通信接続に対して、ＤＥＣＴ規格では、「ダウンリンク」タイムスロットと「アップリンク」タイムスロットとを備えた１つの空きタイムスロットペアが選択される。このタイムスロットペアでは「ダウンリンク」タイムスロットと「アップリンク」タイムスロットとの間隔は同様にＤＥＣＴ規格に従いＤＥＣＴ伝送タイムフレームの半分の長さ（５ｍｓ）である。
【００３１】
ＦＤＤ遠隔通信システム（Frequency Division Duplex）は、複数のタイムスロットからなるタイムフレームが下り伝送方向（ダウンリンク）に対しては第１の周波数帯域で、上り伝送方向（アップリンク）に対しては第２の周波数帯域で伝送される遠隔通信システムである。
【００３２】
このようにタイムフレームを伝送するＦＤＤ遠隔通信システムは、公知のＧＳＭシステムである[Groupe Speciale Mobile oder Global System for Mobile Communication; vgl. Informatik Stektrum 14 (1991) Juni, Nr.3, Berlin, DE; A.Mann:"Der GSM-Standard -Grundlage fuer digitale europaeische Mobilfunknetze",pp.137-152, Publikation telekom praxis 4/1993, P.Smolka,"GSM-Funkschnittstelle - Elemente und Funktion",pp.17-24]。
【００３３】
ＧＳＭシステムに対する無線インタフェースは、伝送経路サービス（ベアラサービス）と称される多数の論理チャネルを取り扱う。例えば、ＡＧＣＨチャネル（Access Grant CHannel）、ＢＣＣＨチャネル（BroadCast CHannel）、ＦＡＣＣＨチャネル（Fast Associated Control CHannel）、ＰＣＨチャネル（Paging CHannel）、ＲＡＣＨチャネル（Random Access CHannel）、およびＴＣＨチャネル（Traffic CHannel）である。これらの無線インタフェースにおけるそれぞれの機能は刊行物 Informatik Spektrum 14 (1991) Juni, Nr.3, Berlin, DE; A.Mann:"Der GSM-Standard -Grundlage fuer digitale europaeische Mobilfunknetze",pp.137-152, Publikation telekom praxis 4/1993, P.Smolka,"GSM-Funkschnittstelle - Elemente und Funktion",pp.17-24 に記載されている。
【００３４】
ＵＭＴＳシナリオ（第３世代移動無線ないしはＩＭＴ２０００）の枠内では、とりわけＷＣＤＭＡ／ＦＤＤモードおよびＴＤＣＤＭＡ／ＴＤＤモードが共通に使用されるべきであるから、遠隔通信システムの良好な性能ないし能力が下り方向でも上り方向でも、すなわちＳ／Ｎ比に依存する良好なビットエラー率が所望される。
【００３５】
下り方向および上り方向での性能ないし能力は、とりわけチャネル推定、すなわち高速な出力制御とフォーマットビットの検知に依存する。
【００３６】
チャネル推定の品質、すなわち高速出力制御ないしフォーマットビットの検知は、それぞれ使用されるビットの数ＮＰＩＬＯＴ、ＮＴＰＣおよびＮＴＦＣＩないしエネルギーに依存する。
【００３７】
したがって下り方向および上り方向での性能ないし能力は、選択された値トリプルＮＰＩＬＯＴ、ＮＴＰＣ、およびＮＴＦＣＩに対して準最適なものであり得る。
【００３８】
例えばＮＰＩＬＯＴの数が過度に少なければ、チャネル推定には過度に小さなエネルギーしか使用されない。このことは、受信機におけるチャネル推定の「悪化」、ないしビットエラー率の悪化の原因となる。すなわち、悪化した性能ないし能力が下り方向でも上り方向でも存在する。同様のことが、出力制御に対するＮＴＰＣビット、および伝送形式情報に対するＮＴＦＣＩビットに対しても当てはまる。
【００３９】
最適の値トリプルは、チャネルビット速度、環境（市街地領域、国領域、丘陵地帯、家屋内）、移動局の閾値局からの距離、ＷＣＤＭＡ／ＦＤＤシステムの負荷（アクティブな接続の数、隣接するセルからの干渉による障害等）に依存する。
【００４０】
通常、所定のチャネルビット速度に対して値トリプル、ＮＰＩＬＯＴ、ＮＴＰＣ、およびＮＴＦＣＩが設定され、接続中または他の環境への移行時には変化しない。
【００４１】
刊行物 ETSI STC UMTS-L1, Tdoc SMG2 UMTS-L1 168/98:"Flexible Power Allocation for Downlink DPCCH Fields", June 15-17, 1998, Turin ,Italy によれば、パイロットビット、高速出力制御に対するビット、およびフォーマットビットがＤＰＤＣＨのデータビットと比較して、比較的に高い出力で基地局から送信される。ここでの欠点は受信装置で、ＡＧＣ、ないしＤＰＤＣＨチャネルのデータビットに対するＡ／Ｄ変換器がもはや最適に制御されないことである。さらに送信装置で無線部を、送信出力の跳躍的上昇／下降に対して構成しなければならないことである。有利な点は、ＤＰＤＣＨチャネルのデータビット数が変化しないことである。
【００４２】
ＥＰ０６２７８２７Ａ２から、無線システムにおける可変速度の情報流の伝送を制御するための方法が公知である。このシステムでは、使用可能なビットが可変形式の情報流に、複数のシステム特性ないしシステムパラメータを考慮してダイナミックに割り当てられる。この情報流は、システム内の種々異なるソースから発するものであり、同じ通信接続に関連して同じ無線チャネルで伝送される。
【００４３】
本発明の基礎となる課題は、移動および／または定置送受信装置間で無線遠隔通信を行う遠隔通信システムでの物理的チャネルの性能ないし能力を、チャネルデータ伝送速度、システム環境、システム負荷、および送信装置と受信装置との間の距離に依存して改善し、その際に回路技術的変更を送受信装置における送信機および／または受信機で必要ないようにすることである。
【００４４】
この課題は、請求項１，請求項２および請求項３の構成によってそれぞれ解決される。
【００４５】
本発明（請求項１から３）により次のような無線インタフェースが提案される。すなわち、ＮＰＩＬＯＴビット、ＮＴＰＣビット、およびＮＴＦＣＩビットの数がそれぞれ可変であり、とりわけ遠隔通信システムの移動および／または定置送受信装置間でのアクティブまたはパッシブ遠隔通信接続中に、ＮＰＩＬＯＴビット、ＮＴＰＣビット、およびＮＴＦＣＩビットの数がそれぞれ制御手段、例えばＤＰＤＣＨチャネルを介して行われる適切な「層２」ないし「層３」シグナリング（レイヤー２／３シグナリング）によって適合的に変更可能ないし最適化可能である無線インタフェースが提案される。
【００４６】
請求項１によれば、データ、例えばＮＰＩＬＯＴビット、ＮＴＰＣビット、およびＮＴＦＣＩビットのＤＰＣＣＨチャネルでの分配が、遠隔通信の上り方向および／または下り方向での遠隔通信接続中に、ＤＰＤＣＨチャネルでのデータ量が同じままであり、タイムスロット当たりの全体データ量が同じままであれば、遠隔通信接続の特性に適合することによって変更可能である。この変更は、前記ビットの少なくとも１つのビットタイプが一時的に（例えば相応の通信接続の持続中）、ＤＰＣＣＨチャネルに出現しなくなるまで、すなわち相応するビット数がＤＰＣＣＨチャネルでゼロになるまで行うことができる。
【００４７】
請求項２によれば、データ、例えばＮＰＩＬＯＴビット、ＮＴＰＣビット、およびＮＴＦＣＩビットのＤＰＣＣＨチャネルでの分配が、遠隔通信の上り方向および／または下り方向での遠隔通信接続中に、タイムスロット当たりの全体データ量を増大することによって変更可能である。
【００４８】
この増大は請求項６によれば有利には、タイムスロット当たりの全体データ量を、拡散係数の減少によって増大することにより行う。
【００４９】
請求項３によれば、データ、例えばＮＰＩＬＯＴビット、ＮＴＰＣビット、およびＮＴＦＣＩビットのＤＰＣＣＨチャネルでの分配が、遠隔通信の上り方向および／または下り方向での遠隔通信接続中に、タイムスロット当たりの全体データ量が同じままであれば、次のようにして変更可能である。すなわち、ＤＰＣＣＨチャネル中のＮＰＩＬＯＴビット、ＮＴＰＣビット、およびＮＴＦＣＩビットの一部をＤＰＤＣＨチャネルに割り当てるか、またはＤＰＤＣＨチャネル中の有効ビット（有効データ）の一部をＤＰＣＣＨチャネルに割り当てるのである。
【００５０】
このようにして、ＮＰＩＬＯＴビット、ＮＴＰＣビット、およびＮＴＦＣＩビットの数を、有効ビットないし有効データをＤＰＤＣＨチャネルで省略ないし追加することにより、上昇ないし低減（縮小、低下）することができる。
【００５１】
請求項１の本発明の請求項４および／または請求項５による以下の改善形態では、次のような一般的基本考察、事実ないし状況を基礎とする。すなわち国際出願ＰＣＴ／ＤＥ９８／０２８９４により推定されたチャネルパルス応答は相互に相関しており、相関度自体は移動送受信装置ないし移動局の相対的運動（緩慢ないし高速）と相関しており（ここで運動が緩慢な場合には推定されたチャネルパルス応答間に強い相関があり、運動が高速な場合には推定されたチャネルパルス応答間に弱い相関がある）、定置および／または移動送受信装置により検出できるという事実を使用するのである。この検出は例えば、先行するタイムスロットのチャネルパルス応答を定置および／または移動送受信装置により推定することにより行う。
【００５２】
請求項１の本発明の請求項４による改善形態の利点は、移動送受信装置（移動局）が３km/h以下の非常に緩慢な速度で運動する場合（例えばリモートＥメールアクセスによるデータ端末機）、およびチャネル推定が前記の一般的基本考察により格段に改善可能である場合、ＮＰＩＬＯＴビットの数を低減することができ、その際にチャネル推定の品質が格別に損なわれることがないことである。この場合性能ないし能力が下り方向伝も上り方向でも改善される。
【００５３】
請求項１による本発明の請求項５による改善形態は、前記の一般的基本考察を考慮して移動送受信装置（移動局）が１５０km/h以上の速度で高速に移動する場合、また高出出力制御が「レイリー・フェーディング」（実質的に移動局の運動による高速変動）を制御できず、そのため「ログ正規化フェーディング」（実質的に影作用による緩慢な変動）だけを制御できる場合に有利である。ここでは、「ログ正規化フェーディング」の制御を高速出力制御に対するビットのビット速度よりも格段に低い速度で行うことができる。例えば高速出力制御に対するＮＴＰＣビットを各１０のタイムスロット毎に送信するのである。残りのタイムスロットでは高速出力制御に対するＮＴＰＣビットを省略するのである。このために、チャネル推定に対するＮＰＩＬＯＴビットおよび/または伝送形式情報に対するＮＴＦＣＩビットを付加的に送信する。
【００５４】
請求項１による本発明の、請求項４と５による改善形態は、前記の一般的基本考察を考慮して、請求項１の本発明の請求項４による改善形態の場合と同じように、移動送受信装置（移動局）が始め非常に緩慢に移動する場合、前記の改善形態で使用される数のＮＰＩＬＯＴビット、ＮＴＦＣＩビット、ＮＴＰＣビットを使用し、次に請求項５による改善形態の場合と同じように、移動送受信装置（移動局）が医大に高速に移動を開始するとき、例えば１００km/hの所定の速度を超えると、それぞれこの請求項５による改善形態で使用される数のＮＰＩＬＯＴビット、ＮＴＦＣＩビット、ＮＴＰＣビットを使用するという利点を有する。
【００５５】
本発明の付加的に有利な改善形態は従属請求項に記載されている。
【００５６】
本発明を実施例の枠内で図７に基づき詳細に説明する。
【００５７】
図７は、図５および図６に示されたマイクロプロセッサから出発した変形マイクロプロセッサを示す。
【００５８】
図７は、図５および図６に示されたマイクロプロセッサμＰから出発した、変形されたプログラムモジュールＰＧＭ’を備える変形マイクロプロセッサμＰ’を示す。ここでは、変形されたプログラムモジュールＰＧＭ’がデータ保安を行う第２層Ｓ２と、交換を行う第３層とにそれぞれ制御手段ＳＴＭを有する点で変形されている。これら制御手段ＳＴＭは、層１の物理的チャネルＤＰＣＣＨ、ＤＰＤＣＨに次のように介入操作するよう構成されている。
【００５９】
１．ＮＰＩＬＯＴビットのパイロットシーケンスＰＳでの分配、ＮＴＰＣビットのＴＰＣシーケンスＴＰＣＳでの分配、およびＮＴＦＣＩビットのＴＦＣＩシーケンスＴＦＣＩＳでの分配が、遠隔通信の上り方向および/または下り方向での遠隔通信接続中に、有効データシーケンスＮＤＳでのデータ量が同じままであり、タイムスロットＺＳ当たりの全体データ量が同じままであれば、遠隔通信接続の特性への適合によって変更可能であり、および/または
２．ＮＰＩＬＯＴビットのパイロットシーケンスＰＳでの分配、ＮＴＰＣビットのＴＰＣシーケンスＴＰＣＳでの分配、およびＮＴＦＣＩビットのＴＦＣＩシーケンスＴＦＣＩＳでの分配が、遠隔通信の上り方向および/または下り方向での遠隔通信接続中に、タイムスロットＺＳ当たりの全体データ量の増大によって変更可能であり、および/または
３．ＮＰＩＬＯＴビットのパイロットシーケンスＰＳでの分配、ＮＴＰＣビットのＴＰＣシーケンスＴＰＣＳでの分配、およびＮＴＦＣＩビットのＴＦＣＩシーケンスＴＦＣＩＳでの分配が、遠隔通信の上り方向および/または下り方向での遠隔通信接続中に、タイムスロット沙汰利の全体データ量が同じままであれば次のようにして変更可能であり、当該変更は、パイロットシーケンスＰＳ中のＮＰＩＬＯＴビットの一部、ＴＰＣシーケンスＴＰＣＳ中のＮＴＰＣビットの一部、およびＴＦＣＩシーケンスＴＦＣＩＳ中のＮＴＦＣＩビットの一部をＤＰＤＣＨチャネルに割り当てるか、またはＮＤＡＴＡビットの一部、ＮＤＡＴＡ１ビットの一部、およびＮＤＡＴＡ２ビットの一部をＤＰＣＣＨチャネルに割り当てることにより行う。
【００６０】
さらに制御手段ＳＴＭは次のように構成され、次のように層１の物理チャネルＤＰＣＣＨ、ＤＰＤＣＨに介入操作する。
【００６１】
４．遠隔通信接続の第１の特性として、移動送受信装置ＭＳ１...ＭＳ５が実質的に５km/hより小さな速度で移動する場合、パイロットシーケンスＰＳのＮＰＩＬＯＴビットの数を、ＴＰＣシーケンスＴＰＣＳ中のＮTPCビットの数および/またはＴＦＣＩシーケンスＴＦＣＩＳ中のＮＴＦＣＩビットの数に有利なように低減し、および/または
５．遠隔通信接続の第２の特性として、移動送受信装置ＭＳ１...ＭＳ５が実質的に１００km/hより大きな速度で移動する場合、ＴＰＣシーケンスＴＰＣＳ中のＮＴＰＣビットの数を、パイロットシーケンスＰＳ中のＮPILOTビットの数および/またはＴＦＣＩシーケンスＴＦＣＩＳ中のＮＴＦＣＩビットの数に有利なように低減する。
【図面の簡単な説明】
【図１】  図１は、「ダウンリンク」でのＷＣＤＭＡ／ＦＤＤ無線インタフェースの「３層構造」である。
【図２】  図２は、「アップリンク」でのＷＣＤＭＡ／ＦＤＤ無線インタフェースの「３層構造」である。
【図３】  図３は、ＴＤＣＤＭＡ／ＴＤＤ無線インタフェースの「３層構造」である。
【図４】  図４は、周波数多重、時分割多重、符号分割多重によるチャネル多重使用の無線シナリオである。
【図５】  図５は、送受信機として構成された基地局ＢＴＳ１，ＢＴＳ２の基本構造を示す。
【図６】  図６は、同様に送受信機として構成された移動局ＭＳ１...ＭＳ５の基本構造を示す。
【図７】  図７は、図５および図６に示されたマイクロプロセッサから出発した変形マイクロプロセッサを示す。
【図１】
0003809068.tif 000005
【図２】
0003809068.tif 000006
【図３】
0003809068.tif 000007
【図４】
0003809068.tif 000008
【図５】
0003809068.tif 000009
【図６】
0003809068.tif 000010
【図７】
0003809068.tif 000011